(57)【要約】【課題】  リソース再配置制御を行う際の下り送信を継続させる下り送信制御システムおよび方法を提供する。【解決手段】  ＣＤＭＡ移動通信システムの無線基地局１０に複数のベースバンドリソースと呼処理／保守処理制御部１０６とが設けられ、各ベースバンドリソースにはベースバンドリソース信号生成部２０１と下り送信状態情報制御部２０２とが設けられている。下り送信中のベースバンドリソースＡの下り送信状態情報は下り送信状態情報制御部２０２ａに読み出されている。リソース再配置制御時に、その下り送信状態情報が別の割り当て可能なベースバンドリソースＢへ転送され、その下り送信状態情報制御部２０２ｂによって書き込まれることでベースバンドリソースＢにより元の下り送信が維持される。リソース再配置制御は、異常処理監視通知部３０１が異常を検出したとき、あるいは、保守機能可否判定部３０２が可能と判定したときに、実行される。【選択図】      図１
2005260516.tif 000002
【特許請求の範囲】
【請求項１】
ＣＤＭＡ(Code Division Multiple Access)移動通信システムの無線基地局における下り送信制御システムにおいて、
それぞれ下り信号のベースバンド信号処理を行う複数のベースバンドリソースと、
リソース再配置制御時に、下り送信に割り当てられている第１ベースバンドリソースの下り送信状態情報を、別の割り当て可能な第２ベースバンドリソースへ転送することで、前記第２ベースバンドリソースにより前記下り送信を維持する制御手段と、
を有することを特徴とする下り送信制御システム。
【請求項２】
前記制御手段は、
前記複数のベースバンドリソース内に異常動作が発生したか否かを監視する異常処理監視通知手段と、
強制的リソース再配置を行う保守機能が可能か否かを判定する保守機能可否判定手段と、
を有し、
前記異常動作の発生が検出された時および前記保守機能が可能であると判定された時のいずれかにおいて、前記第１ベースバンドリソースの下り送信状態情報を前記第２ベースバンドリソースへ転送することを特徴とする請求項１に記載の下り送信制御システム。
【請求項３】
前記複数のベースバンドリソースの各々は、ベースバンドリソース信号生成手段と、下り送信状態情報制御手段と、を有し、
前記制御手段は、さらに、リソース情報生成手段を有し、
前記制御手段は、前記第１ベースバンドリソースの前記ベースバンドリソース信号生成手段での下り送信状態情報を前記下り送信状態情報制御手段を通して当該リソース情報生成手段に転送し、前記リソース再配置制御時に、前記下り送信状態情報を前記第２ベースバンドリソースの下り送信状態情報制御手段を通して当該ベースバンドリソース信号生成手段へ転送する、ことを特徴とする請求項２に記載の下り送信制御システム。
【請求項４】
ＣＤＭＡ(Code Division Multiple Access)移動通信システムの無線基地局における下り送信制御方法において、
複数のベースバンドリソースの第１ベースバンドリソースに下り送信を割り当て、
リソース再配置制御の発生時に、前記複数のベースバンドリソースの別の割り当て可能な第２ベースバンドリソースを探索し、
前記第１ベースバンドリソースの下り送信状態情報を、前記第２ベースバンドリソースへ転送することで、前記第２ベースバンドリソースにより前記下り送信を維持する、
ことを特徴とする下り送信制御方法。
【請求項５】
ＣＤＭＡ(Code Division Multiple Access)移動通信システムの無線基地局における下り送信制御方法において、
複数のベースバンドリソースの第１ベースバンドリソースに下り送信を割り当て、
前記第１ベースバンドリソースの下り送信状態情報を保持し、
リソース再配置制御の発生時に、前記複数のベースバンドリソースの別の割り当て可能な第２ベースバンドリソースを探索し、
前記第１ベースバンドリソースを再配置元、前記第２ベースバンドリソースを再配置先とした再配置リソース情報を前記第１ベースバンドリソースおよび前記第２ベースバンドリソースへ通知し、
前記再配置リソース情報に基づいて、前記保持された下り送信状態情報を前記第１ベースバンドリソースから前記第２ベースバンドリソースへ転送し、
前記転送された下り送信状態情報を用いて前記第２ベースバンドリソースが前記下り送信を維持する、
ことを特徴とする下り送信制御方法。
【発明の詳細な説明】
【技術分野】
【０００１】
本発明はＣＤＭＡ(Code Division Multiple Access)移動通信システムの無線基地局に係り、特に無線基地局におけるベースバンドリソース再配置制御時の下り送信制御システムおよび方法に関する。
【背景技術】
【０００２】
ＣＤＭＡ方式などの移動通信システムでは、無線ネットワーク制御局（ＲＮＣ: Radio Network Controller)に複数の無線基地局が有線伝送路で接続され、ＲＮＣの制御により無線基地局と各移動端末との間の無線リンク設定が行われる。ＲＮＣから無線基地局を介して移動端末へ送信される下り通信の場合、ＲＮＣからの下り信号は、無線基地局内のベースバンドリソースにより符号拡散、同期制御および符号化などのＣＤＭＡ通信のためのベースバンド処理を施され、下り無線リンクを通して移動端末へ送信される。一般に、無線基地局は複数の移動端末を収容するために、複数個のベースバンドリソースが用意されている。
【０００３】
特開２００３−４６４３６号公報（特許文献１）には、この複数のベースバンドリソースを利用した送信制御技術が開示されている。この従来技術では、複数あるベースバンド処理部の１つに故障が発生した場合、故障したベースバンド処理部を他の正常なベースバンド処理部に置き換え、電力制御データなどの必要な利用者データを故障したベースバンド処理部から正常なベースバンド処理部へ移行することで速やかな送信電力レベル制御を達成する。
【０００４】
このように、無線基地局内で異常処理が発生しベースバンドリソースでの通信が継続できなくなった場合、自律的に別の正常なベースバンドリソースを見つけて通信を継続させる制御（以下、リソース再配置制御という。）が行われる。また、無線基地局の保守制御処理においても、通信中のベースバンドリソースに対して強制的なリソース再配置制御が行われることがある。
【０００５】
【特許文献１】特開２００３−４６４３５号公報（明細書段落０００９〜００１２参照）
【発明の開示】
【発明が解決しようとする課題】
【０００６】
上述した異常発生時のリソース再配置制御であっても、また保守性制御時の強制的なリソース再配置制御であっても、無線基地局で実行されるのであるから、現在の通信中の呼に対する送信を継続させる必要がある。しかしながら、リソース再配置制御の手順は無線基地局ごとに定められており、下り信号送信を継続ができない状況も十分あり得る。現状では、統一の基準となる手順が特に定められてないが、どちらのリソース再配置制御においても通信中の呼に対する影響を与えることなく、確実に下りチャネルの送信を継続させる必要がある。
【０００７】
本発明の目的は、リソース再配置制御を行う際の下り送信を継続させる下り送信制御システムおよび方法を提供することにある。
【課題を解決するための手段】
【０００８】
本発明によれば、ＣＤＭＡ移動通信システムの無線基地局における下り送信制御システムは、それぞれ下り信号のベースバンド信号処理を行う複数のベースバンドリソースと、リソース再配置制御時に、下り送信に割り当てられている第１ベースバンドリソースの下り送信状態情報を、別の割り当て可能な第２ベースバンドリソースへ転送することで、前記第２ベースバンドリソースにより前記下り送信を維持する制御手段と、を有することを特徴とする。
【０００９】
前記制御手段は、前記複数のベースバンドリソース内に異常動作が発生したか否かを監視する異常処理監視通知手段と、強制的リソース再配置を行う保守機能が可能か否かを判定する保守機能可否判定手段と、を有し、前記異常動作の発生が検出された時および前記保守機能が可能であると判定された時のいずれかにおいて、前記第１ベースバンドリソースの下り送信状態情報を前記第２ベースバンドリソースへ転送することを特徴とする。
【００１０】
前記複数のベースバンドリソースの各々は、ベースバンドリソース信号生成手段と、下り送信状態情報制御手段と、を有し、前記制御手段は、さらに、リソース情報生成手段を有し、前記制御手段は、前記第１ベースバンドリソースの前記ベースバンドリソース信号生成手段での下り送信状態情報を前記下り送信状態情報制御手段を通して当該リソース情報生成手段に転送し、前記リソース再配置制御時に、前記下り送信状態情報を前記第２ベースバンドリソースの下り送信状態情報制御手段を通して当該ベースバンドリソース信号生成手段へ転送することを特徴とする。
【００１１】
また、本発明によれば、ＣＤＭＡ(Code Division Multiple Access)移動通信システムの無線基地局における下り送信制御方法は、複数のベースバンドリソースの第１ベースバンドリソースに下り送信を割り当て、リソース再配置制御の発生時に、前記複数のベースバンドリソースの別の割り当て可能な第２ベースバンドリソースを探索し、前記第１ベースバンドリソースの下り送信状態情報を、前記第２ベースバンドリソースへ転送することで、前記第２ベースバンドリソースにより前記下り送信を維持する、ことを特徴とする。
【００１２】
さらに、本発明の別の側面によれば、ＣＤＭＡ(Code Division Multiple Access)移動通信システムの無線基地局における下り送信制御方法は、複数のベースバンドリソースの第１ベースバンドリソースに下り送信を割り当て、前記第１ベースバンドリソースの下り送信状態情報を保持し、リソース再配置制御の発生時に、前記複数のベースバンドリソースの別の割り当て可能な第２ベースバンドリソースを探索し、前記第１ベースバンドリソースを再配置元、前記第２ベースバンドリソースを再配置先とした再配置リソース情報を前記第１ベースバンドリソースおよび前記第２ベースバンドリソースへ通知し、前記再配置リソース情報に基づいて、前記保持された下り送信状態情報を前記第１ベースバンドリソースから前記第２ベースバンドリソースへ転送し、前記転送された下り送信状態情報を用いて前記第２ベースバンドリソースが前記下り送信を維持する、ことを特徴とする。
【００１３】
本発明の実施形態によれば、上述した送信状態情報は、各トランスポート・ベアラの下りリンクユーザプレーンの同期確立情報とＤＬ−ＤＰＤＣＨ送信状態情報とを含む。通信中の呼に割り当てられた第１ベースバンドリソースに対してリソース再配置制御を行う場合、第１ベースバンドリソースから必要な情報を第２ベースバンドリソースへ手脳することで、ＤＬ−ＤＰＤＣＨ送信の瞬断を回避することができる。
【発明の効果】
【００１４】
以上に述べたように本発明の下り送信制御システムおよび方法は、以下のような効果が得られる。
【００１５】
第１に、再配置先の第２ベースバンドリソースで、再配置元のＤＬ−ＤＰＤＣＨ送信状態を保ったままリソース再配置制御を行うことが出来る。その理由は、リソース再配置制御時に再配置元の第１ベースバンドリソースでのＤＬ−ＤＰＤＣＨ送信状態を再配置先の第２ベースバンドリソースへ転送し、再配置先の第２ベースバンドリソースで処理継続を行うためである。
【００１６】
第２に、再配置元の第１ベースバンドリソースの各トランスポート・ベアラの下りリンクユーザプレーンの同期状態を保ったままリソース再配置制御を行うことが出来る。その理由は、リソース再配置制御時に再配置元の第１ベースバンドリソースでの各トランスポート・ベアラの下りリンクユーザプレーンの同期状態を再配置先の第２ベースバンドリソースへ転送し、再配置先の第２ベースバンドリソースで処理継続を行うためである。
【００１７】
第３に、リソース再配置制御において瞬断することなくＤＬ−ＤＰＤＣＨ送信を実現出来る。その理由は、ＤＬ−ＤＰＤＣＨの送信状態と各トランスポート・ベアラの下りリンクユーザプレーンの同期状態を基に、再配置先の第２ベースバンドリソースでは転送された時点から処理継続を行うことができるためである。
【００１８】
なお、同様のベースバンドリソースを用いる、あらゆる次世代移動通信システムの任意の無線基地局（Ｎｏｄｅ−Ｂ）でリソース再配置制御を行うのに際しても、本発明による下り送信制御方法を適用することによりシステム同一の基準として示すことが出来る。
【発明を実施するための最良の形態】
【００１９】
以下、３ＧＰＰ(3rd Generation Partnership Project) ＴＳ２５．４２７  ５．１．２章（Ｄｏｗｎ  Ｌｉｎｋ）の規定に従う無線基地局の下りリンク個別物理データチャネル送信処理の場合を採り上げ、本発明の一実施形態を詳細に説明する。なお、以下の記載では、「無線基地局」を「Ｎｏｄｅ−Ｂ」と記し、「下りリンク個別物理データチャネル」を「ＤＬ−ＤＰＤＣＨ」と記すことにする。
【００２０】
図１は、本発明の一実施形態によるＣＤＭＡ無線基地局（Ｎｏｄｅ−Ｂ）における下り送信制御システムの構成を示すブロック図である。Ｎｏｄｅ−Ｂ１０は無線ネットワーク制御局（ＲＮＣ）２０に有線伝送路３０で接続され、Ｎｏｄｅ−Ｂ１０には自身の無線ゾーン内に位置する複数の移動局ＭＴの各々が無線伝送路４０を通して収容されている。ここでは図面を簡略化するために１つのＮｏｄｅ−Ｂ１０だけが図示されているが、実際には複数のＮｏｄｅ−ＢがＲＮＣ２０に接続されていてもよい。
【００２１】
Ｎｏｄｅ−Ｂ１０は、移動局との無線通信を行うための無線送受信部１０１、アナログ信号とデジタル信号と間の変換を行うＡＤ／ＤＡ変換部１０２、ベースバンドリソース部１０３、ＡＴＭセル分割／再組立部１０４、伝送路Ｉ／Ｆ部１０５、および、呼処理／保守処理監視制御部１０６を含む。
【００２２】
ベースバンドリソース部１０３には、複数のベースバンドリソースＡ、Ｂ・・・が設けられている。各ベースバンドリソースは、移動局のＣＤＭＡ通信を可能にするための符号拡散／逆拡散、同期制御および符号化／復号化などのベースバンド処理を行う処理部である。ここでは、下り送信制御について説明するので、各ベースバンドリソースには、ベースバンドリソース信号生成部２０１と下り送信状態情報制御部２０２とが図示されている。ベースバンドリソースＡにはベースバンドリソース信号生成部２０１ａおよび下り送信状態情報制御部２０２ａが、ベースバンドリソースＢにはベースバンドリソース信号生成部２０１ｂおよび下り送信状態情報制御部２０２ｂが、それぞれ設けられている。なお、これらをソフトウエアにより実装することも可能である。すなわち、プログラム制御プロセッサ上でベースバンドリソース信号生成プログラムおよび下り送信状態情報入出力制御プログラムを実行することで各プロセスを生成し同様の機能を実現することもできる。
【００２３】
また、呼処理／保守処理監視制御部１０６には、異常処理監視/通知部３０１、保守機能可否判定部３０２、リソース情報生成部３０３、および、制御部３０４が設けられている。これらは、上述したようにソフトウエアにより実装することも可能である。すなわち、プログラム制御プロセッサ上で異常処理監視/通知プログラム、保守機能可否判定プログラムおよびリソース情報生成プログラムを実行することで各プロセスを生成し同様の機能を実現してもよい。
【００２４】
呼処理／保守処理制御部１０６の異常処理監視/通知部３０１は、ベースバンドリソース部１０３内の各ベースバンドリソースの動作をモニタして異常処理の発生の有無を監視している。保守機能可否判定部３０２は、Ｎｏｄｅ−Ｂ１０に備わっている保守制御機能による強制的なリソース再配置制御が可能であるか否かを判定する。詳しくは後述するが、リソース情報生成部３０３は、リソース再配置制御を行う際、元のベースバンドリソース情報、再配置先のベースバンドリソース情報を含むリソース情報メッセージを生成する。制御部３０４は、このリソース情報メッセージを再配置先ベースバンドリソースへ転送する。
【００２５】
また、各ベースバンドリソースのベースバンドリソース信号生成部２０１は、各トランスポート・ベアラの下りリンクユーザプレーンの同期確立情報とＤＬ−ＤＰＤＣＨ送信開始の処理が完了した下り送信状態情報を下り送信状態情報制御部２０２へ転送しておく。この下り送信状態情報は呼処理／保守処理監視制御部１０６によって定期的にチェックされ、再配置元リソースの情報としてリソース情報生成部３０３に保存される。また、リソース再配置制御が起動される時、制御部３０４は、リソース情報生成部３０３から再配置元リソースの情報を読み出し、再配置先のベースバンドリソースの下り送信状態情報制御部へ転送し、そのベースバンドリソース信号生成部に対して、各トランスポート・ベアラの下りリンクユーザプレーンの同期情報とＤＬ−ＤＰＤＣＨ送信状態情報とを書き込む。
【００２６】
図２（Ａ）はリソース情報生成部により生成されるリソース情報メッセージのフォーマット図であり、（Ｂ）は下り送信状態情報制御部での下り送信状態情報メッセージのフォーマット図である。図２（Ａ）に示すように、リソース情報生成部３０３により生成されるリソース情報メッセージには、リソース再配置制御が行われる際の、元のベースバンドリソースのリソース情報および下り送信状態情報と、再配置先のベースバンドリソースのリソース情報および下り送信状態情報と、が含まれている。このようなリソース情報メッセージを用いてリソース管理および再配置制御を行うことができる。
【００２７】
また、図２（Ｂ）に示すように、下り送信状態情報制御部２０２での情報メッセージには、トランスポート・ベアラの下りリンクユーザプレーンの同期確立情報とＤＬ−ＤＰＤＣＨ送信状態情報とが含まれている。後述するように、障害が発生したベースバンドリソースの直前の下り送信状態情報を再配置先のベースバンドリソースへ即座に転送することで、通信の連続性を担保することができる。
【００２８】
（リソース再配置時の下り送信制御）
次に、本実施形態の下り送信制御動作を具体的な例に即してより詳細に説明する。
【００２９】
図３はＲＮＣからＮｏｄｅ−Ｂへの下りリンクデータ転送シーケンスを示す図である。下りリンクデータ転送シーケンスは、Ｎｏｄｅ−Ｂ１０において、新たな無線リンク設定を行う際に発生する。この時、ＲＮＣ２０とＮｏｄｅ−Ｂ１０におけるＡＴＭ回線の設定が正常に完了していることが前提条件となる。Ｎｏｄｅ−Ｂ１０では、ＡＴＭ回線の設定後に到来した下りリンクデータフレームに対して下りリンクユーザプレーンの同期確立処理を行う。
【００３０】
続いて、Ｎｏｄｅ−Ｂ１０内のベースバンドリソース部１０３における通信中の呼に対するＤＬ−ＤＰＤＣＨ送信処理について説明する。ここでは、ベースバンドリソースＡに割り当てられたとする。
【００３１】
まず、ＲＮＣ２０からＮｏｄｅ−Ｂ１０内の呼処理／保守処理監視制御部１０６に対し、有線伝送路３０を介して無線リンクの設定が行われる。無線リンク情報は、一旦、Ｎｏｄｅ−Ｂ１０内の呼処理／保守処理監視制御部１０６で保存された後、ベースバンドリソースＡのベースバンドリソース信号生成部２０１ａへ転送される。
【００３２】
ＲＮＣ２０からの下り信号は、有線伝送路３０を介して伝送路Ｉ／Ｆ部１０５に入力し、ＡＴＭセルの検出を行った後、ＡＴＭセル分割／再組立部１０４へ転送される。ＡＴＭセル分割／再組立部１０４は、受信したＡＴＭセルから下り送信信号への変換を行い、ベースバンドリソースＡへ出力する。
【００３３】
ベースバンドリソースＡでは、ベースバンドリソース信号生成部２０１ａにて下りリンクユーザプレーンの同期確立処理を行い、無線リンクに接続されたトランスポート・ベアラ全てがＬＴＯＡ前で受信可能となった場合に、ＤＬ−ＤＰＤＣＨの符号処理（ＣＲＣ生成処理、誤り訂正処理）を行う。符号化されたＤＬ−ＤＰＤＣＨ信号は、ＡＤ／ＤＡ変換部１０２においてＤＡ変換され、無線送受信部１０１により無線伝送路４０を介して宛先の移動局へ送信される。
【００３４】
このようにベースバンドリソースＡにより下り送信が実行されているときに、ベースバンドリソースＡからベースバンドリソースＢへのリソース再配置が行われる場合の下り送信制御について説明する。
【００３５】
図４は、本実施形態による無線基地局おけるリソース再配置制御時の下り送信制御動作を説明するためのシーケンス図である。
【００３６】
まず、ベースバンドリソースＡのベースバンドリソース信号生成部２０１ａは、各トランスポート・ベアラの下りリンクユーザプレーンの同期確立情報とＤＬ−ＤＰＤＣＨ送信開始の処理が完了した送信状態情報とを下り送信状態情報制御部２０２ａへ転送しておく。この下り送信状態情報と当該ベースバンドリソース信号生成部２０１ａのリソース情報とが呼処理／保守処理監視制御部１０６によって定期的にチェックされ、再配置元リソースの情報としてリソース情報生成部３０３に保存される（ステップＳ１）。
【００３７】
Ｎｏｄｅ−Ｂ内での異常処理発生あるいは保守制御機能によりリソース再配置制御の必要が発生すると、呼処理／保守処理監視制御部１０６の制御部３０４は、各ベースバンドリソースから異常処理監視/通知部３０１に通知された障害情報を読み出し、通信が継続可能な再配置先リソースを探す（ステップＳ２）。ここでは、ベースバンドリソースＢが再配置先として選択されたとする。この時、異常処理監視/通知部３０１は、リソース再配置制御が可能となるように、再配置元のリソース情報を生成するようリソース情報生成部３０３に指令する（ステップＳ３）。
【００３８】
再配置元のリソース情報の生成指令を受けたリソース情報生成部３０３は、再配置元のリソース情報メッセージを制御部３０４に通知する（ステップＳ４）。このリソース情報メッセージには、図２（Ａ）に示すように、リソース再配置制御時に必要な再配置元と再配置先のベースバンドリソース情報と再配置先での下り送信処理に必要な再配置元の下り送信状態情報とが含まれている。
【００３９】
再配置元のリソース情報メッセージを受け取ると、制御部３０４は再配置先のベースバンドリソースＢのベースバンドリソース信号生成部２０１ｂへリソース情報を転送し（ステップＳ５）、下り送信状態情報制御部２０２ｂへ下り送信状態情報を転送する（ステップＳ６）。
【００４０】
制御部３０４がベースバンドリソース信号生成部２０１ｂおよび下り送信状態情報制御部２０２ｂからそれぞれ確認メッセージを受信することで、再配置元ベースバンドリソースＡから再配置先ベースバンドリソースＢへの情報転送が完了する（ステップＳ７、Ｓ８）。
【００４１】
制御部３０４は、情報転送が完了したのを受けて、ベースバンドリソースＡ内の再配置元ベースバンドリソース信号生成部２０１ａおよび下り送信状態情報制御部２０２ａに対してベースバンドリソースの解放指令を行う（ステップＳ９、Ｓ１０）。制御部３０４がベースバンドリソース信号生成部２０１ａおよび下り送信状態情報制御部２０２ａからそれぞれ確認メッセージを受信することで、再配置元ベースバンドリソースＡの解放処理が完了する（ステップＳ１１、Ｓ１２）。
【００４２】
続いて、再配置先のベースバンドリソースＢ内の下り送信状態情報制御部２０２ｂは、ステップＳ６において呼処理／保守処理監視制御部から下り送信状態情報を受け取ると、各トランスポート・ベアラの下りリンクユーザプレーンの同期確立情報とＤＬ−ＤＰＤＣＨ送信情報とからなる下り送信状態情報をベースバンドリソース信号生成部２０１ｂへ書き込む（ステップＳ１３）。
【００４３】
こうして、再配置先ベースバンドリソース信号生成部２０１ｂは、書き込まれた各トランスポート・ベアラの下りリンクユーザプレーンの同期確立情報とＤＬ−ＤＰＤＣＨ送信情報とに基づき、書き込みが完了した時点から再配置先ベースバンドリソースＢでのＤＬ−ＤＰＤＣＨ送信処理が継続される。
【００４４】
（他の実施形態）
再配置元ベースバンドリソースでの下り送信状態情報を再配置先へ転送する仕方には、別のバリエーションも可能である。たとえば、次のように転送してもよい。ベースバンドリソースＡのベースバンドリソース信号生成部２０１ａは、各トランスポート・ベアラの下りリンクユーザプレーンの同期確立情報とＤＬ−ＤＰＤＣＨ送信開始の処理が完了した下り送信状態情報とを下り送信状態情報制御部２０２ａへ転送しておく。Ｎｏｄｅ−Ｂ内での異常処理発生あるいは保守制御機能によりリソース再配置制御の必要が発生すると、呼処理／保守処理監視制御部１０６の制御部３０４は、通信が継続可能な再配置先リソースとしてベースバンドリソースＢを選択すると、再配置元ベースバンドリソースＡのベースバンドリソース信号生成部２０１ａおよび下り送信状態情報制御部２０２ａと、再配置先ベースバンドリソースＢのベースバンドリソース信号生成部２０１ｂおよび下り送信状態情報制御部２０２ｂとに対して、再配置元および再配置先の再配置リソース情報を通知する。この再配置リソース情報を受け取ると、再配置元ベースバンドリソースＡの下り送信状態情報制御部２０２ａは、既に転送して記憶しているベースバンドリソース信号生成部２０１ａの下り送信状態情報を呼処理／保守処理監視制御部１０６の制御部３０４を介して再配置先ベースバンドリソースＢの下り送信状態情報制御部２０２ｂへ転送する。こうして、下り送信状態情報制御部２０２ｂが各トランスポート・ベアラの下りリンクユーザプレーンの同期確立情報とＤＬ−ＤＰＤＣＨ送信情報とからなる下り送信状態情報をベースバンドリソース信号生成部２０１ｂへ書き込み、書き込みが完了した時点から再配置先ベースバンドリソースＢでのＤＬ−ＤＰＤＣＨ送信処理が継続される。
【図面の簡単な説明】
【００４５】
【図１】本発明の一実施形態によるＣＤＭＡ無線基地局（Ｎｏｄｅ−Ｂ）における下り送信制御システムの構成を示すブロック図である。
【図２】（Ａ）はリソース情報生成部により生成されるリソース情報メッセージのファーマット図であり、（Ｂ）は下り送信状態情報制御部での情報メッセージのフォーマット図である。
【図３】ＲＮＣからＮｏｄｅ−Ｂへの下りリンクデータ転送シーケンスを示す図である。
【図４】本実施形態による無線基地局おけるリソース再配置制御時の下り送信制御動作を説明するためのシーケンス図である。
【符号の説明】
【００４６】
１０  無線基地局（Ｎｏｄｅ−Ｂ）
２０  無線ネットワーク制御局（ＲＮＣ）
３０  有線伝送路
４０  無線伝送路
１０１  無線送受信部
１０２  ＡＤ／ＤＡ変換部
１０３  ベースバンドリソース部
１０４  ＡＴＭセル分割／再組立部
１０５  伝送路インターフェース部
１０６  呼処理／保守処理制御部
２０１ａ、２０１ｂ  ベースバンドリソース信号生成部
２０２ａ、２０２ｂ  下り送信状態情報制御部
３０１  異常処理監視通知部
３０２  保守機能可否判定部
３０３  リソース情報生成部
３０４  制御部
【図１】
2005260516.tif 000003
【図２】
2005260516.tif 000004
【図３】
2005260516.tif 000005
【図４】
2005260516.tif 000006